(57)【要約】【課題】  拡大光学系ユニットを眼鏡レンズに装着する際に、これらの位置関係を適切に設定することができる製造治具、製造方法を提供すること。【解決手段】  製造治具１００は、ベースプレート１１０と、ベースプレートの一面側に左右方向にスライド可能に取り付けられた左眼用スライド部材１２０および右眼用スライド部材１３０と、これらのスライド部材１２０、１３０に対して角度調整が可能に取り付けられ、拡大光学系ユニット１４、１５を保持する左眼用保持部材１４０および右眼用保持部材１５０と、スライドベース１１０の他面側に設けられた眼鏡フレーム装着機構１６０とを備えている。左右の拡大光学系ユニット１４、１５は、アーム１７０、１７１により左右両端を支持され、これらのアーム１７０、１７１を各保持部材１４０、１５０にねじ止めすることにより、装着されている。【選択図】  図１０
2005107250.tif 000002
【特許請求の範囲】
【請求項１】
眼鏡フレームに装着された左右の眼鏡レンズの所定位置に形成された開口部に、それぞれ左眼用、右眼用の拡大光学系ユニットを装着して双眼拡大鏡を製造するための製造治具において、
左眼用、右眼用の開口部が形成されたベースプレートと、
該ベースプレートの左眼用開口部に連通する窓部が形成され、前記ベースプレートの一面側に左右方向にスライド可能に取り付けられた左眼用スライド部材と、
該左眼用スライド部材に対して直交三次元座標の各座標軸周りの角度調整が可能に取り付けられ、前記左眼用の拡大光学系ユニットを保持する左眼用保持部材と、
前記ベースプレートの右眼用開口部に連通する窓部が形成され、前記ベースプレートの一面側に左右方向にスライド可能に取り付けられた右眼用スライド部材と、
該右眼用スライド部材に対して直交三次元座標の各座標軸周りの角度調整が可能に取り付けられ、前記右眼用の拡大光学系ユニットを保持する右眼用保持部材と、
前記スライドベースの他面側に設けられた眼鏡フレーム装着機構とを備えることを特徴とする双眼拡大鏡の製造治具。
【請求項２】
前記左眼用、右眼用スライド部材には、前記窓部を挟んで少なくとも二カ所に単一の球面の一部を構成する球面座が設けられ、前記左眼用、右眼用保持部材には、前記球面座に面接触する球面マウントが設けられ、前記球面座に前記球面マウントを面接触させた状態で前記各座標軸周りの角度調整を可能としたことを特徴とする請求項１に記載の双眼拡大鏡の製造治具。
【請求項３】
前記左眼用球面座、および前記左眼用保持部材の球面マウントの球心は、前記左眼用の拡大光学系ユニットの眼鏡の左側レンズへの取り付け位置にほぼ一致し、前記右眼用球面座、および前記右眼用保持部材の球面マウントの球心は、前記右眼用の拡大光学系ユニットの眼鏡の右側レンズへの取り付け位置にほぼ一致することを特徴とする請求項２に記載の双眼拡大鏡の製造治具。
【請求項４】
前記左眼用、右眼用スライド部材には、前記窓部を囲む周囲の少なくとも三カ所にねじ孔が形成され、前記左眼用、右眼用保持部材には、前記ねじ孔に対応する位置に、前記窓部を囲む周方向に長い長孔が形成され、前記ねじ孔には、前記長孔を通して調整ねじが螺合しており、これらの調整ねじを緩めた状態で前記左眼用、右眼用保持部材の姿勢を調整し、該調整ねじを締めることにより、調整された姿勢を保持させることを特徴とする請求項１〜３のいずれかに記載の双眼拡大鏡の製造治具。
【請求項５】
眼鏡フレームに装着された左右の眼鏡レンズの所定位置に開口部を形成し、
請求項１に記載の製造治具の前記左眼用、右眼用保持部材に左眼用、右眼用の拡大光学系ユニットを装着し、使用者に合わせて前記左眼用、右眼用スライド部材の左右位置を調整すると共に、前記左眼用、右眼用保持部材の姿勢を調整し、
前記製造治具の前記眼鏡フレーム装着機構に前記眼鏡を装着し、
前記眼鏡レンズの開口部と前記拡大光学系ユニットとを接着剤により固定し、固定後に一体化した前記眼鏡と前記拡大光学系ユニットとから構成される双眼拡大鏡を前記製造治具から取り外すことを特徴とする双眼拡大鏡の製造方法。
【請求項６】
前記接着剤による固定後、前記双眼拡大鏡を前記製造治具に装着した状態で測定装置に取り付け、前記双眼拡大鏡を通して所定のチャートの像を観察し、前記拡大光学系ユニットを前記保持部から外した状態で再度チャートの像を観察し、２回の観察で像の変化が所定の許容範囲内である場合に合格と判断することを特徴とする請求項５に記載の双眼拡大鏡の製造方法。
【発明の詳細な説明】
【技術分野】
【０００１】
本発明は、手元にある物体を双眼で拡大して観察するための双眼拡大鏡を製造する際に用いられる製造治具、およびこの製造治具を用いた双眼拡大鏡の製造方法に関する。
【背景技術】
【０００２】
脳外科手術等の微細な組織を処置する手術においては、医師は処置部を拡大して観察しながら手術を行う。また、処置部を立体的に観察するため、双眼の拡大鏡を用いることが望ましい。特許文献１には、眼鏡の左右レンズの中央部に開口を形成し、これらの開口に拡大光学系ユニットを取り付けて構成される双眼拡大鏡が開示されている。
【０００３】
このような双眼拡大鏡を製造する際には、使用する医師の視力や瞳孔間距離、物体距離や倍率に基づいて、ピント、輻輳を適切に調整した状態で拡大光学系ユニットを左右の眼鏡レンズに取り付ける必要がある。
【特許文献１】特開２００３−１９５１８５号公報  図２
【発明の開示】
【発明が解決しようとする課題】
【０００４】
しかしながら、特許文献１には、拡大光学系ユニットをどのようにすれば適切に調整された状態で眼鏡レンズに装着することができるかは開示されていない。拡大光学系ユニットをねじ等により眼鏡レンズに装着する場合には、ねじの調整により装着後の微調整も可能であるが、ねじが眼鏡の視野を狭める。そこで、接着剤により固定することが望ましいが、この場合には接着剤が硬化するまで拡大光学系ユニットと眼鏡との位置関係を一定に保つことが難しいという問題がある。
【０００５】
本発明は、上述した従来技術の問題点に鑑みてなされたものであり、拡大光学系ユニットを眼鏡レンズに装着する際に、これらの位置関係を適切に設定することができ、かつ、拡大光学系ユニットを接着剤により固定する際にも接着剤が硬化するまでの間、拡大光学系ユニットと眼鏡との位置関係を一定に保つことができる双眼拡大鏡の製造冶具およびこれを用いた製造方法を提供することを目的とする。
【課題を解決するための手段】
【０００６】
本発明にかかる双眼拡大鏡の製造治具は、眼鏡フレームに装着された左右の眼鏡レンズの所定位置に形成された開口部に、それぞれ左眼用、右眼用の拡大光学系ユニットを装着して双眼拡大鏡を製造するための製造治具であり、左眼用、右眼用の開口部が形成されたベースプレートと、ベースプレートの左眼用開口部に連通する窓部が形成され、ベースプレートの一面側に左右方向にスライド可能に取り付けられた左眼用スライド部材と、左眼用スライド部材に対して直交三次元座標の各座標軸周りの角度調整が可能に取り付けられ、左眼用の拡大光学系ユニットを保持する左眼用保持部材と、ベースプレートの右眼用開口部に連通する窓部が形成され、ベースプレートの一面側に左右方向にスライド可能に取り付けられた右眼用スライド部材と、右眼用スライド部材に対して直交三次元座標の各座標軸周りの角度調整が可能に取り付けられ、右眼用の拡大光学系ユニットを保持する右眼用保持部材と、スライドベースの他面側に設けられた眼鏡フレーム装着機構とを備えることを特徴とする。
【０００７】
左眼用、右眼用スライド部材の窓部を挟んで少なくとも二カ所に、単一の球面の一部を構成する球面座を設け、左眼用、右眼用保持部材に、球面座に面接触する球面マウントを設けることができる。このような構成によれば、球面座に球面マウントを面接触させた状態で各座標軸周りの角度調整が可能となる。
【０００８】
なお、左眼用球面座、および左眼用保持部材の球面マウントの球心は、左眼用の拡大光学系ユニットの眼鏡の左側レンズへの取り付け位置にほぼ一致し、右眼用球面座、および右眼用保持部材の球面マウントの球心は、右眼用の拡大光学系ユニットの眼鏡の右側レンズへの取り付け位置にほぼ一致するよう設定することが望ましい。
【０００９】
左眼用、右眼用保持部材の姿勢の調整には、ねじを用いることができる。すなわち、左眼用、右眼用スライド部材の窓部を囲む周囲の少なくとも三カ所にねじ孔を形成し、左眼用、右眼用保持部材には、ねじ孔に対応する位置に、窓部を囲む周方向に長い長孔を形成する。これらのねじ孔に、長孔を通して調整ねじを螺合させ、これらの調整ねじを緩めた状態で左眼用、右眼用保持部材の姿勢を調整し、調整ねじを締めることにより、調整された姿勢を保持させることができる。
【００１０】
一方、本発明にかかる双眼拡大鏡の製造方法は、眼鏡フレームに装着された左右の眼鏡レンズの所定位置に開口部を形成し、上記の製造治具の左眼用、右眼用保持部材に左眼用、右眼用の拡大光学系ユニットを装着し、使用者に合わせて左眼用、右眼用スライド部材の左右位置を調整すると共に、左眼用、右眼用保持部材の姿勢を調整し、製造治具の眼鏡フレーム装着機構に眼鏡を装着し、眼鏡レンズの開口部と拡大光学系ユニットとを接着剤により固定し、固定後に一体化した眼鏡と拡大光学系ユニットとから構成される双眼拡大鏡を製造治具から取り外すことを特徴とする。
【００１１】
また、接着剤による固定後、双眼拡大鏡を製造治具に装着した状態で測定装置に取り付け、双眼拡大鏡を通して所定のチャートの像を観察し、拡大光学系ユニットを保持部から外した状態で再度チャートの像を観察し、２回の観察で像の変化が所定の許容範囲内である場合に合格と判断するようにしてもよい。
【発明の効果】
【００１２】
本発明にかかる双眼拡大鏡の製造冶具によれば、左眼用、右眼用の保持部材にそれぞれ拡大光学系ユニットを装着すると、各スライド部材を左右方向にスライドさせることにより、使用者の眼幅に合わせた設定が可能であり、かつ、保持部材をスライド部材に対して直交三次元座標の各座標軸周りの角度を調整することにより、物体距離に合わせた輻輳の設定が可能となる。
【００１３】
一方、本発明にかかる双眼拡大鏡の製造方法によれば、上記の製造治具を利用して位置決めした拡大光学系ユニットを、接着剤が硬化するまで製造治具に保持させておくことができるため、接着剤が硬化するまでの間、拡大光学系ユニットと眼鏡との位置関係を一定に保つことができ、拡大光学系ユニットを眼鏡レンズに対して正確に固定することができる。
【発明を実施するための最良の形態】
【００１４】
以下、この発明にかかる双眼拡大鏡の製造治具、およびこれを用いた双眼拡大鏡の製造方法の実施形態を説明する。最初に、実施形態の製造方法により製造される双眼拡大鏡について説明する。図２は、双眼拡大鏡１０を物体側から見た正面図である。
【００１５】
双眼拡大鏡１０は、フレーム１１と左右のレンズ１２、１３とから構成される通常の眼鏡のレンズ１２、１３の所定位置に貫通孔である開口部(図示せず)を形成し、これらの開口部に左右の拡大光学系ユニット１４、１５を接着することにより構成されている。
【００１６】
フレーム１１は、レンズ１２、１３を保持するリム１１ａ、１１ｂ、左右のリム１１ａ、１１ｂを接続するブリッジ１１ｃ、リムの内側に配置された鼻当てとなるパッド１１ｄ、１１ｅ、リムの外側で耳にかけるためのテンプル１１ｆ、１１ｇから構成されている。
【００１７】
拡大光学系ユニット１４、１５は、物体を拡大して観察するための実像式の拡大光学系と、この拡大光学系の光路を一方側に偏向すると共に像を正立させる反射型の偏向手段とから構成される。例えば、左眼用の拡大光学系ユニット１４は、図３に示すように、物体側に配置された正のパワーを持つ対物レンズ１４ａと、対物レンズ１４ａを介して入射する光を４回内面反射させて像の上下左右を反転させる偏向手段としてのダハプリズム１４ｂと、このダハプリズム１４ｂにより偏向された光を眼ＥＲに導く正のパワーを持つ接眼レンズ１４ｃとから構成されている。
【００１８】
実施形態にかかる双眼拡大鏡の製造方法は、上記のような双眼拡大鏡１０を製造するため、図１に示すような各行程を有する。行程は、大きく分けて、前段階として眼鏡の製造工程、続いて双眼拡大鏡の製造工程、最後に梱包出荷行程の３行程から構成される。なお、双眼拡大鏡を製造するには、使用者に関するデータが必要である。ここでは、使用者の情報として、眼鏡処方箋、瞳孔間距離ＰＤ、作動距離ＷＤ(ワーキングディスタンス)、拡大鏡の倍率Ｍを予め測定および決定しておく。
【００１９】
眼鏡の製造工程では、上記の眼鏡処方箋に従って眼鏡フレーム１１を製造し(S.1)、眼鏡レンズ１２、１３を製造する(S.2)。製造された眼鏡レンズ１２、１３を眼鏡フレーム１１に組み込むことにより、使用者の視力に応じた眼鏡を製造する。なお、使用者が普段眼鏡を利用していない場合には、度数のない眼鏡レンズを用意する。
【００２０】
双眼拡大鏡の製造工程では、上記の作動距離ＷＤ、倍率Ｍに基づいて左右の拡大光学系ユニット１４、１５が製造される(S.3)。続いて、瞳孔間距離ＰＤと作動距離ＷＤとに基づいて、眼鏡レンズ１２、１３に取り付けられる拡大光学系ユニット１４、１５の取り付け間隔(ルーペ間隔)ＣＤ、および取り付け角度α、β、γをそれぞれ計算する(S.4)。
【００２１】
ここで、図４に基づいて、取り付け角度α、β、γの定義について説明する。第一眼位で物体距離無限遠のときに想定される左右の視軸に一致する軸をそれぞれ軸ＺL、ＺRとする。第一眼位とは、眼の高さにあるまっすぐ前方の物体を注視しているときの頭部に対する眼の相対位置をいう(日本工業規格T7330/5.31)。物体距離が無限遠であれば両視軸は平行となるため、軸ＺL、ＺRは、それぞれ左右の眼の回旋中心ＣＬ、ＣＲを通り、使用者からまっすぐ前方に水平に伸びる互いに平行な軸である。また、左右の拡大光学系ユニット１４、１５のダハプリズム１４ｂ、１５ｂの位置でＺL及びＺR軸と垂直に交差する軸をＸとし、ＺL及びＸ軸に垂直な軸をＹL、ＺR及びＸ軸に垂直な軸をＹRとする。そして、αは、軸Ｘを回転軸とする拡大光学系ユニット１４、１５の回転角度、βは、軸ＹL、ＹRを回転軸とする拡大光学系ユニット１４、１５の回転角度、γは、軸ＺL、ＺRを回転軸とする拡大光学系ユニット１４、１５の回転角度である。
【００２２】
双眼拡大鏡１０は、作動距離ＷＤに応じて左眼用、右眼用の拡大光学系ユニット１４、１５を互いに逆方向に±β°だけ軸ＹL、ＹR回りに回転させて光軸と視軸とを一致させ、互いに逆方向に±γ°だけ軸ＺL、ＺRを回りに回転させて輻輳を調整し、α°だけ軸Ｘ回りに回転させて接眼レンズの光軸方向を眼鏡レンズ１２、１３の光軸方向に合わせる。
【００２３】
続いて、心取り点間距離ＣＤに基づき、図３に示すように、拡大光学系ユニット１４(１５)の接眼レンズ部分が貫通できるよう眼鏡レンズ１２(１３)に開口部１２ａを形成する(S.5)。続いて、S.3で製造された拡大光学系ユニット１４、１５を製造治具１００に装着する(S.6)。
【００２４】
図５〜図７は、製造治具１００の説明図であり、図５は平面図、図６は正面図、図７は図６のVII-VII線に沿う断面図である。製造治具１００は、ベースプレート１１０と、ベースプレートの一面側に左右方向にスライド可能に取り付けられた左眼用スライド部材１２０および右眼用スライド部材１３０と、これらのスライド部材１２０、１３０に対して角度調整が可能に取り付けられ、拡大光学系ユニット１４、１５を保持する左眼用保持部材１４０および右眼用保持部材１５０と、スライドベース１１０の他面側に設けられた眼鏡フレーム装着機構１６０とを備えている。
【００２５】
ベースプレート１１０には、図８に単体で示されるように、左眼用の開口部１１１と右眼用の開口部１１２とが形成されると共に、後述の角度調整ねじの先端が遊挿される長孔１１３、１１３、…が形成されている。ベースプレート１１０には、上下両端に左右方向に延びるガイドレール１１４、１１５取り付けられている。ガイドレール１１４は、図５および図７に示すように、スライド部材１３０と同一の板厚で、幅がガイドレール１１４より狭いスペーサプレート１１６を間に介在させてベースプレート１１０に固定されており、同様に、ガイドレール１１５は、スペーサプレート１１７を介在させてベースプレート１１０に固定されている。
【００２６】
左眼用、右眼用のスライド部材１２０、１３０は、上下方向をガイドレール１１４、１１５に係合させた状態でペースプレート１１０に対して左右にスライド可能に取り付けられている。なお、スライド部材１２０単体での形状は、図９に示されている。スライド部材１２０、１３０には、ねじ孔が形成されたＬ字形のアンカー１２１、１３１が固定されており、ベースプレート１１０には、スライド調整ねじ２０１、２０２を貫通させる貫通孔が形成されたねじホルダー１１８、１１９が固定されている。スライド調整ねじ２０１、２０２は、ねじホルダー１１８、１１９に対して回転可能に、かつ、軸方向へは移動しないように取り付けられている。このため、スライド調整ねじ２０１、２０２をアンカー１２１、１３１に螺合させ、回転調整することにより、スライド部材１２０、１３０を左右方向にスライド調整することが可能である。拡大光学系ユニット１４、１５を取り付けた状態では、このスライド調整によりルーペ間隔ＣＤに合わせた調整が可能となる。
【００２７】
左眼用スライド部材１２０には、ベースプレート１１０の左眼用開口部１１１に連通する窓部１２２が形成され、この窓部１２２を挟んで二カ所に、単一の球面の一部を構成する球面座１２３が形成されている。また、窓部１２２の周囲４カ所には、図９に示すように、後述の角度調整ねじが螺合するねじ孔１２４が形成されている。同様にして、右眼用スライド部材１３０には、ベースプレート１１０の右眼用開口部１１２に連通する窓部１３２が形成され、この窓部１３２を挟んで二カ所に、単一の球面の一部を構成する球面座１３３が形成されている。右眼用スライド部材１３０にも、角度調整ねじが螺合するねじ孔が同様に形成されている(図示せず)。
【００２８】
左眼用、右眼用の保持部材１４０、１５０は、左眼用、右眼用スライド部材１２０、１３０の窓部１２２、１３２と同様の窓部１４１、１５１を有するリング状の部材であり、これらの窓部１４１、１５１を挟んで２カ所に、スライド部材１２０、１３０の球面座１２３、１３３に面接触する球面マウント１４２、１５２が形成されている。
【００２９】
また、左眼用保持部材１４０には、左眼用スライド部材１２０のねじ孔１２４に対応する位置に、長孔１４３が形成されている。左眼用保持部材１４０は、この長孔１４３を介して３本の角度調整ねじ２０３と１本の固定ねじ２０４とをねじ孔１２４に螺合させることにより、スライド部材１２０に取り付けられている。これらの角度調整ねじ２０３を緩めた状態で球面座１２３に球面マウント１４２を面接触させた状態で調整することにより、左眼用保持部材１４０を左眼用スライド部材１２０に対して直交三次元座標の各座標軸ＺL、ＹL、Ｘの周りに角度調整することができ、角度調整ねじを締めることにより、調整された姿勢を保持させることができる。
【００３０】
同様にして、右眼用保持部材１５０には、長孔１５３が形成されており、この長孔１４３を介して３本の角度調整ねじ２０５と１本の固定ねじ２０６とをスライド部材１３０に形成されたねじ孔に螺合させることにより、右眼用保持部材１５０はスライド部材１３０に取り付けられている。これらの角度調整ねじ２０５を緩めた状態で球面座１３３に球面マウント１５２を面接触させた状態で調整することにより、右眼用保持部材１５０を右眼用スライド部材１３０に対して直交三次元座標の各座標軸ＺR、ＹR、Ｘの周りに角度調整することができ、角度調整ねじを締めることにより、調整された姿勢を保持させることができる。
【００３１】
なお、角度調整ねじ２０３、２０５、固定ねじ２０４、２０６の先端は、スライド部材１２０、１３０から突出してベースプレート１１０の長穴１１３に挿入される。長穴１３３はスライド方向に所定の長さを持つため、各ねじが長穴１３３に入り込んでいても、スライド部材１２０、１３０をスライドさせることができる。
【００３２】
なお、左眼用スライド部材１２０の球面座１２３、および左眼用保持部材１４０の球面マウント１４２の球心は、左眼用の拡大光学系ユニット１４を取り付けた際の眼鏡の左側レンズへの取り付け位置(射出瞳位置に対応する)にほぼ一致し、右眼用スライド部材１３０の球面座１３３、および右眼用保持部材１５０の球面マウント１５２の球心は、右眼用の拡大光学系ユニット１５を取り付けた際の眼鏡の右川レンズへの取り付け位置(射出瞳位置に対応する)にほぼ一致するよう設定されている。このような設定により、射出瞳位置を動かさずに角度調整が可能であり、角度調整の後に更にスライド調整をする必要がない。
【００３３】
また、左眼用、右眼用の保持部材１４０、１５０には、指針１４４、１４５、１５４、１５５が取り付けられており、左眼用、右眼用のスライド部材１２０、１３０には、これらの指針により指示されるスケール１２５、１２６、１３５、１３６が設けられている。指針１４４、１５４がスケール１２５、１３５のどの目盛を指しているかにより、保持部材１４０、１５０の軸ＹL、ＹR回りの回転角度βを読みとることができる。一方、指針１４５、１５５がスケール１２６、１３６のどの目盛を指しているかにより、保持部材１４０、１５０の軸ＺL、ＺR回りの回転角度γを読みとることができる。
【００３４】
眼鏡フレーム装着機構１６０は、図５および図７に示されるように、ブッシュ１６１を介して所定の間隔をあけてベースプレート１１０に固定された枠部材１６２と、この枠部材１６２の上側２カ所に設けられた固定式フレーム保持部１６３、１６３と、枠部材１６２の下側２カ所に設けられた可動式フレーム保持部１６４、１６４とを備えている。
【００３５】
図７に示すように、各保持部１６３、１６４には、それぞれ先端側に谷型の凹部が形成されており、この凹部に眼鏡フレーム１１を係合させてこれを保持する。可動式フレーム保持部１６４は、枠部材１６２の下側に延びる補助プレート１６５に取り付けられた軸受け部材１６６に挿通されたシャフト１６７の上端に取り付けられている。シャフト１６７の下端には、ストッパー１６８が取り付けられ、可動式フレーム保持部１６４と軸受け部材１６６との間には、シャフト１６７を巻いてコイルスプリング１６９が取り付けられている。眼鏡フレーム１１を取り付ける際には、眼鏡フレーム１１のリム１１ａ、１１ｂの下端を可動式フレーム保持部１６４に係合させ、眼鏡フレーム１１をコイルスプリング１６９の弾性力に抗して下に押しながらリムの上端を固定式フレーム保持部１６３に係合させる。
【００３６】
図１０は、左右の拡大光学系ユニット１４、１５を製造治具１００に装着した状態を示す正面図である。各ユニットは、アーム１７０、１７１により左右両端を支持され、これらのアーム１７０、１７１を各保持部材１４０、１５０にねじ止めすることにより、装着されている。
【００３７】
図１に戻って、拡大光学系ユニット１４、１５がS.6で製造治具に固定された後、S.4で計算されたルーペ間隔ＣＤに基づいてスライド調整ねじ２０１、２０２を適宜回転させ、拡大光学系ユニット１４、１５の左右方向の位置を調整する(S.7)。続いて、S.4で計算された角度α、β、γに基づき、角度調整ねじ２０３、２０５を適宜回転させ、拡大光学系ユニット１４、１５の角度を調整する(S.8)。
【００３８】
これらの調整が終了した後、眼鏡レンズ１２、１３の開口部(１２ａ)と、拡大光学系ユニット１４、１５の開口部への挿入部分の周囲に接着剤を塗布し(S.9)、眼鏡レンズ１２、１３に開口部が形成された穴あきの眼鏡を製造治具１００に装着する(S.10)。
【００３９】
接着剤が硬化した後、製造治具１００に装着したままの状態で眼鏡と拡大光学系ユニット１４、１５とが一体化して構成される双眼拡大鏡１０を検査のために測定装置に取り付け(S.11)、拡大光学系ユニット１４、１５が製造治具１００により拘束された状態と、アーム１７０、１７１を外して拘束を解除した状態とで像の変化を測定する(S.12)。測定装置の構成は後述する。
【００４０】
S.12の測定で像の変化が所定の規格内であるか否かを判断し(S.13)、規格内であれば、双眼拡大鏡１０を製造治具１００から取り外し(S.14)、梱包出荷行程に送る。規格外であれば、製造治具１００に取り付けたまま再設定に回す。梱包出荷行程では、ストラップ等の付属品と共に、完成した双眼拡大鏡１０を梱包箱に詰め、使用者に向けて発送する。
【００４１】
次に、上記のS.11,S.12で用いられる測定装置について説明する。図１１は、測定装置３００全体を示す側面図、図１２は、測定装置３００から製造治具１００が装着された測定ヘッド４００を取り外した状態を示す平面図、図１３は、測定装置３００に設けられたチャート板３１０の正面を示す説明図である。
【００４２】
図１１に示すように、製造治具１００は、測定装置３００の測定ヘッド４００に保持された状態で、取り付け板３０１を介して測定ベース３０２に取り付けられる。測定ヘッド４００は、測定ベース３０２に対して４８°の角度で斜めに取り付けられている。測定ベース３０２には、長手方向に延びる平行な２本のスライドシャフト３０３、３０４が設けられている。このスライドシャフト３０３、３０４には、撮影対象となるチャート板３１０を搭載したチャート用スライド部材３１１が取り付けられている。チャート板３１０には、図１３に示すように、複数の同心円状のチャートと、十字線のチャートとが描かれている。このチャート用スライド部材３１１をスライドシャフト３０３、３０４に沿って移動させることにより、製造治具１００により保持された双眼拡大鏡１００に対してチャート板３１０を離反、接近させることができる。この例では、双眼拡大鏡１００とチャート板３１０との間の距離を、双眼拡大鏡のＷＤを十分カバーする２４２ｍｍ〜６５２ｍｍの範囲で調整することができる。なお、チャート用スライド部材３１１は、ねじ３１２を締めることにより、位置が固定される。
【００４３】
次に、上記の測定ヘッド４００の構成について説明する。図１４〜図１６には、測定ヘッド４００の構成を示し、図１４は側面図、図１５は平面図、図１６は図１４を図中右側から見た正面図である。測定ヘット４００は、測定装置３００の取り付け板３０１に固定されるヘッドベース４１０と、このスライドベース４１０上に固定された第１のスライドシャフト４１１に係合して図１４中の左右方向にスライド可能な第１のスライドテーブル４２０と、この第１のスライドテーブル４２０上に固定された第２のスライドシャフト４２に係合して図１４中の左右方向にスライド可能な第２のスライドテーブル４３０と、この第２のスライドテーブル４３０上に固定された第３のスライドシャフト４３１に係合して図１４の紙面と垂直な方向にスライド可能な第３のスライドテーブル４４０、４５０と、これらの第３のスライドテーブル４４０、４５０に対して回動ピン４４１、４５１を介して回動可能に設けられた回動テーブル４６０、４７０とを備えている。各回動テーブル４６０、４７０には、左右の拡大光学系ユニット１４、１５を接眼レンズ側から撮影する位置に２台のテレビカメラ４０１、４０２が設けられている。テレビカメラ４０１、４０２の撮影レンズ４０３、４０４は、それらの入射瞳位置が双眼拡大鏡１０の使用者の眼球回旋中心に一致するよう設定される。テレビカメラ４０１、４０２の出力は、ケーブル４０１ａ、４０２ａを介して図示せぬ画像処理装置に入力される。
【００４４】
製造治具１００は、第１スライドテーブル４２０に固定された治具保持部４８０により保持される。このような構成によると、第１スライドテーブル４２０をスライドさせることにより、製造治具１００とテレビカメラ４０１、４０２とを一体にして図１４中の左右方向に移動させることができる。第１スライドテーブル４２０による移動は、拡大光学系ユニット１４、１５のタイプを変更する場合に利用される。すなわち、図３に示したような実像式のケプラータイプの光学系を用いる場合には、図１１に示すように光軸Ｌ1をチャート板３１０の中心に一致させ、虚像式のガリレオタイプの光学系を用いる場合には、光軸Ｌ2をチャート板３１０の中心に一致させるように、第１スライドテーブル４２０の繰り出し量を調整する。なお、スライドベース４１０には、位置決めのための第１調整板４１２が固定され、この調整板に２カ所形成された穴のいずれかに、第１スライドベース４２０に固定されたノブ４２２の先端を係合させることにより、光学系のタイプに応じたスライド位置を設定することができる。
【００４５】
また、第２スライドテーブル４３０を移動させると、製造治具１００に保持された双眼拡大鏡１０とテレビカメラ４０１、４０２との間隔を調整することができる。第２スライドテーブル４３０による移動は、双眼拡大鏡１０の測定時には間隔を短くし、製造治具１００の測定ヘッド４００への取り付け時には間隔を長くするよう切り替えられる。上記の例と同様に、第１スライドテーブル４２０には、第２調整板４２３が固定され、この調整板に２カ所形成された穴のいずれかに、第２スライドベース４３０に固定されたノブ４３２の先端を係合させることにより、測定時と取り付け時とに応じたスライド位置を設定することができる。第２スライドテーブル４３０の移動ストロークは約６０ｍｍである。
【００４６】
第３スライドテーブル４４０、４５０は、左右のテレビカメラ４０１、４０２毎に設けられており、テレビカメラ４０１、４０２の位置を使用者の瞳孔間距離ＰＤ(および左右の単眼瞳孔距離)に応じて独立して調整できるように構成されている。第３スライドテーブル４４０、４５０は、固定ねじ４４２、４５２を緩めることによりスライド可能となり、これらの固定ねじを締めると位置が固定される。移動量は、スケール４４３、４５３により読みとることができる。
【００４７】
回動テーブル４６０、４７０も、左右のテレビカメラ４０１、４０２毎に設けられており、左右のテレビカメラ４０１、４０２の角度を変えることにより、眼の輻輳に相当する角度を設定することができる。回動テーブル４６０、４７０は、固定ねじ４６１、４７１を緩めることにより回動可能となり、これらの固定ねじを締めると位置が固定される。回動角度は、スケール４６２、４７２により読みとることができる。
【００４８】
上記のように構成された測定ヘッド４００に、双眼拡大鏡１０を製造治具１００に保持された状態で装着し、テレビカメラ４０１、４０２の角度(輻輳に相当)、間隔(瞳孔間距離に相当)を使用者のデータに合わせて設定し、測定装置３００に取り付け、テレビカメラ４０１、４０２により拡大光学系ユニット１４、１５を介してチャート板３１０を撮影する。撮影された画像をモニター等に表示し、あるいは、画像処理装置により数値化する。そして、拡大光学系ユニット１４、１５が製造治具１００により拘束された状態と、アーム１７０、１７１を外して拘束を解除した状態とで像の変化を測定し、像の変化から双眼拡大鏡１０が仕様通りに製造されたか否かを確認する。
【図面の簡単な説明】
【００４９】
【図１】本発明の実施形態にかかる双眼拡大鏡の製造方法の内容を示すフローチャートである。
【図２】実施形態の方法により製造される双眼拡大鏡を物体側から見た正面図である。。
【図３】図２に示す双眼拡大鏡の一方の拡大光学系の配置を示す説明図である。
【図４】双眼拡大鏡の調整の座標軸の説明図である。
【図５】実施形態にかかる双眼拡大鏡の製造治具の平面図である。
【図６】図５に示す製造治具の正面図である。
【図７】図６のVII-VII線に沿う断面図である。
【図８】図５に示す製造治具のベースプレートを単体で示す平面図である。
【図９】図５に示す製造治具の一方のスライド部材を単体で示す平面図である。
【図１０】左右の拡大光学系ユニットを図５の製造治具に装着した状態を示す正面図である。
【図１１】実施形態の測定装置の全体を示す側面図である。
【図１２】図１１の測定装置から製造治具が装着された測定ヘッドを取り外した状態を示す平面図である。
【図１３】図１１の測定装置に設けられたチャート板の正面を示す説明図である。
【図１４】図１１の測定装置に含まれる測定ヘッドの側面図である。
【図１５】図１４に示す測定ヘッドの平面図である。
【図１６】図１４に示す測定ヘッドを図１４の右側から見た正面図である。
【符号の説明】
【００５０】
１０  双眼拡大鏡
１１  眼鏡フレーム
１２、１３  眼鏡レンズ
１４、１５  拡大光学系ユニット
１００  製造治具
１１０  ベースプレート
１２０、１３０  スライド部材
１４０、１５０  保持部材
１６０  眼鏡フレーム保持機構
３００  測定装置
４００  測定ヘッド
【図１】
2005107250.tif 000003
【図２】
2005107250.tif 000004
【図３】
2005107250.tif 000005
【図４】
2005107250.tif 000006
【図５】
2005107250.tif 000007
【図６】
2005107250.tif 000008
【図７】
2005107250.tif 000009
【図８】
2005107250.tif 000010
【図９】
2005107250.tif 000011
【図１０】
2005107250.tif 000012
【図１１】
2005107250.tif 000013
【図１２】
2005107250.tif 000014
【図１３】
2005107250.tif 000015
【図１４】
2005107250.tif 000016
【図１５】
2005107250.tif 000017
【図１６】
2005107250.tif 000018